(57)【要約】【課題】指針が蛇行する形状であっても指針の動作特性に対する影響を最小限に抑えることが可能な指針式計器を提供する。【解決手段】表示器１と、指標部２１１，２２１を有し表示器１を視認可能に配置される表示板２１，２２と、表示器１の背後に配置され指針軸６１が表示器１側に突出する駆動装置６と、指針軸６１を回転中心軸ＲＣとして旋回することにより指標部２１１，２２１を指示する指針７とを備え、指針７が迂回部７１と、指標部２１１，２２１を指示する指示部７２とを備えてなる指針式計器において、迂回部７１の回転中心軸ＲＣから最も遠い箇所Ｐ１を指示部７２の先端Ｐ２よりも回転中心軸ＲＣに近づけてなる。【選択図】  図２
2010197304.tif 000002
【特許請求の範囲】
【請求項１】
表示器と、指標部を有し前記表示器の周囲を取り巻くと共に前記表示器を視認可能に配置される表示板と、前記表示器の背後に配置され指針軸が前記表示器側に突出する駆動装置と、前記指針軸に連結され当該指針軸を回転中心として旋回することにより前記指標部を指示する指針とを備え、前記指針が少なくとも前記表示器の背面側を通って前記回転中心方向に折れ曲がる迂回部と、前記表示板の前方側を反回転中心方向に延び指標部を指示する指示部とを備えてなる指針式計器において、前記迂回部の前記回転中心から最も遠い箇所を前記指示部の先端よりも前記回転中心に近づけてなることを特徴とする指針式計器。
【請求項２】
前記表示板が第１の表示板と、この第１の表示板よりも前記観察者側に配置される第２の表示板とを有し、前記迂回部の前記回転中心方向に延びる箇所が前記第１の表示板と前記第２の表示板との間を前記回転中心に向けて延長し、前記指示部に連なることを特徴とする請求項１記載の指針式計器。
【請求項３】
前記表示板が第１の深部から観察者側に向けて拡径する第１の円錐部と、この第１の円錐部側となる第２の深部から前記観察者側に向けて拡径する第２の円錐部とを有し、前記迂回部の前記回転中心方向に延びる箇所が前記第１の円錐部と前記第２の円錐部との間を前記回転中心に向けて延長し、前記指示部に連なることを特徴とする請求項１記載の指針式計器。
【請求項４】
前記表示板が深部から観察者側に向けて拡径する円錐部を有し、前記迂回部の前記回転中心方向に延びる箇所が前記円錐部の中程を前記回転中心に向けて貫通し、前記指示部に連なることを特徴とする請求項１記載の指針式計器。
【請求項５】
前記窓部に沿って前記表示器の表示エリアを取り巻く縁部材を設けたことを特徴とする請求項１記載の指針式計器。
【発明の詳細な説明】
【技術分野】
【０００１】
本発明は、例えば自動車、自動二輪車、建設機械、小型船舶に搭載される指針式計器に関し、特に液晶等の表示器の外周にて、目盛板の指標部と当該指標部を指示する指針とを用いて指針式表示を行う指針式計器に関するものである。
【背景技術】
【０００２】
この種の指針式計器として例えば下記特許文献１に記載されているものが知られている。この指針式計器は、液晶表示器からなる表示器と、目盛や文字等の指標部を有し表示器の周囲を取り巻くと共に該表示器を視認な窓部が形成された表示板と、表示器の背後に配置され指針軸が表示器側に突出する駆動装置と、指針軸に連結されて表示器と表示板の双方を迂回するように略「Ｓ」字状に屈曲して延び駆動装置により指針軸を回転中心として旋回駆動されることにより指標部を指示する指針とを備えている。
【０００３】
指針は、表示器の背面側を反回転中心方向に延びる第１の指針部と、この第１の指針部に連続し表示器の側方を表示器の厚み方向に延びる第２の指針部と、この第２の指針部に連続し表示器よりも前方側であって表示器と表示板との間を回転中心方向に延びる第３の指針部と、この第３の指針部に連続し表示板の窓部の内周を表示板の厚み方向に延びる第４の指針部と、この第４の指針部に連続し表示板の前方側を反回転中心方向に延び指標部を指示する第５の指針部とを備えている。このように略「Ｓ」字状屈曲する指針が表示器と表示板との間から表示板の窓部の内周を越えて表示板の前面側に至る構成とすることにより、表示板のスリットを廃止し、見栄え品質を向上させることができる。
【先行技術文献】
【特許文献】
【０００４】
【特許文献１】特開２００５−１８１３０１号公報
【発明の概要】
【発明が解決しようとする課題】
【０００５】
しかしながら、前記特許文献１記載の指針式計器は、指針が表示器と表示板の双方を迂回して表示板の前方に至るように、指針を表示器と表示板に応じて複数回蛇行させる必要があるため、指針の大型化、重量増を避けることができず、指針の応答性や始動特性が低下しやすいという問題があった。
【０００６】
本発明は前述の課題に着目し、指針が蛇行する形状であっても指針の動作特性に対する影響を最小限に抑えることが可能な指針式計器を提供することを目的とするものである。
【課題を解決するための手段】
【０００７】
本発明は、前述した課題を解決するため、表示器と、指標部を有し前記表示器の周囲を取り巻くと共に前記表示器を視認可能に配置される表示板と、前記表示器の背後に配置され指針軸が前記表示器側に突出する駆動装置と、前記指針軸に連結され当該指針軸を回転中心として旋回することにより前記指標部を指示する指針とを備え、前記指針が前記表示器の背面側を通って前記回転中心方向に向かう迂回部と、前記表示板の前方側を反回転中心方向に延び指標部を指示する指示部とを備えてなる指針式計器において、前記迂回部の前記回転中心から最も遠い箇所を前記指示部の先端よりも前記回転中心に近づけてなることを特徴とする。このように構成することにより、迂回部の側方への張り出しを抑えることができるため、小型化と慣性モーメントの軽減を達成でき、指針が複数回蛇行する形状であっても指針の動作特性に対する影響を最小限に抑えることが可能となる。
【０００８】
また本発明は、前記表示板が第１の表示板と、この第１の表示板よりも前記観察者側に配置される第２の表示板とを有し、前記迂回部の前記回転中心方向に延びる箇所が前記第１の表示板と前記第２の表示板との間を前記回転中心に向けて延長し、前記指示部に連なることを特徴とする。このように構成することにより、迂回部から指示部へと連なる経路を短縮して小型化を図ることができ、更なる小型化と慣性モーメントの軽減を達成できる。
【０００９】
また本発明は、前記表示板が第１の深部から観察者側に向けて拡径する第１の円錐部と、この第１の円錐部側となる第２の深部から前記観察者側に向けて拡径する第２の円錐部とを有し、前記迂回部の前記回転中心方向に延びる箇所が前記第１の円錐部と前記第２の円錐部との間を前記回転中心に向けて延長し、前記指示部に連なることを特徴とする。このように構成することにより、迂回部から指示部へと連なる経路を短縮して小型化を図ることができ、更なる小型化と慣性モーメントの軽減を達成できる。
【００１０】
また本発明は、前記表示板が深部から観察者側に向けて拡径する円錐部を有し、前記迂回部の前記回転中心方向に延びる箇所が前記円錐部の中程を前記回転中心に向けて貫通し、前記指示部に連なることを特徴とする。このように構成することにより、迂回部から指示部へと連なる経路を短縮して小型化を図ることができ、更なる小型化と慣性モーメントの軽減を達成できる。
【００１１】
また本発明は、前記窓部に沿って前記表示器の表示エリアを取り巻く縁部材を設けたことを特徴とする。このように構成することにより、前記表示器の表示エリアを表示板から区画することができ、目的とする情報に視線移動を短時間で行うことができ、視認性を向上させることができる。
【発明の効果】
【００１２】
本発明によれば、初期の目的を達成することができ、指針が蛇行する形状であっても指針の動作特性に対する影響を最小限に抑えることが可能な指針式計器を提供することができる。
【図面の簡単な説明】
【００１３】
【図１】本発明の第１の実施形態による指針式計器の正面図。
【図２】図１のＡ−Ａ断面図。
【図３】本発明の第２の実施形態による指針式計器の断面図。
【図４】本発明の第３の実施形態による指針式計器の断面図。
【図５】本発明の第４の実施形態による指針式計器の断面図。
【発明を実施するための形態】
【００１４】
以下、本発明の実施の形態について添付図面を用いて説明する。
【００１５】
図１及び図２において、本発明の第１の実施形態による指針式計器は、例えば自動車のダッシュボードに搭載されるコンビネーションメータに組み込まれるもので、表示器１と、表示板２と、縁部材３と、導光体４と、回路基板５と、駆動装置６と、指針７と、光源８，９とを備えている。なお図２ではハッチングは省略されている。
【００１６】
表示器１は、例えば液晶パネルからなり、表示板２の後述する第１の窓部の形状に対応した円形の外形形状を有し、回路基板５を通じて電気的に駆動されることにより走行距離、外気温、燃費等の任意の車両情報を表示する。
【００１７】
表示板２は、表示器１側に配置される第１の表示板２１と、この第１の表示板２１よりも観察者に近い側に配置される第２の表示板２２とに２分割形成されている。これら表示板２１，２２は例えば透光性の基板の表面に周知なスクリーン印刷やデジタル印刷技術を用いて後述する指標部とこの指標部の背景となる背景部とを印刷してなる。なお本実施形態では表示板２を第１，第２の表示板２１，２２に分割したが、一枚の表示板とすることもできるし、２枚以上に分割することもできる。
【００１８】
第１の表示板２１は、例えば円形の平板として形成され、前記印刷技術を用いて、例えば透光性を有する数字（文字）からなる第１の指標部２１１（本実施形態では白色）と、遮光性を有する第１の背景部２１２（本実施形態では黒色）とが形成されている。
【００１９】
この第１の表示板２１は、表示器１の外形端部及び表示器１の情報表示を行わない周囲領域を取り巻いて覆うように表示器１の前方側（図示しない観察者に対面する側）に配置されると共に表示器１の情報表示エリアを視認可能とする第１の窓部２１３が形成されている。この第１の窓部２１３は、表示器１の情報表示エリアを露出する円形の開口部として形成されているが、表示器１の情報表示エリアを覆う透明部な透視部として形成することもできる。
【００２０】
第２の表示板２２は、第１の表示板１側となる深部から前記観察者側に向けて徐々にラッパ形に拡径（径が広がる）すると共に第１の表示板２１よりも大きな円錐部２２０とその外周部とを有し、前記印刷技術を用いて、例えば透光性を有する目盛からなる第２の指標部２２１（本実施形態では第１の指標部２１１と同色）と、遮光性を有する第２の背景部２２２（本実施形態では第１の背景部２１２と同色）とが形成されていると共に、周知な絞り加工技術を用いて円錐部２２０等の立体造形部が形成されている。
【００２１】
この第２の表示板２２は、第１の表示板２１の外形端部及びその周囲領域を取り巻いて覆うように第１の表示板２１の前方側に配置されると共に第１の表示板２１の第1の指標部２１１を視認可能とする円形の第２の窓部２２３が形成されている
【００２２】
これら第１，第２の表示板２１，２２は、第１，第２の窓部２１３，２２３が後述する回転中心に対して同心関係になるように、空間部２３を介して前記観察者の視線方向に積層され、この空間部２３を指針７の後述する迂回部の一部が位置する構成となっている。
【００２３】
縁部材３は、例えば断面形状が略三角形で正面視形状が円形の合成樹脂材の表面に金属調（シルバー）のメッキあるいは塗装を施した装飾部材からなり、第１の窓部２１３の内縁に沿うように表示器１の前面側に配置されることにより、表示器１の表示エリアを縁取るものである。なお縁部材３は、図示しない光源または光源８，９からの光を受けて所定色に発光する透光部材として設けることもできる。
【００２４】
導光体４は、例えば透光性合成樹脂からなり、表示器１及び第１の表示板２１の背面（前記観察者とは反対側を向く面）に沿って配置され、光源８の光を受けて表示器１及び第１，第２の表示板２１，２２（第１，第２の指標部２１１，２２１）を背後側（前記観察者とは反対側）からバックライト照明する。
【００２５】
回路基板５は、周知な硬質回路基板からなり、導光体４の背後側に配置され、駆動装置６と光源８，９とを搭載している。
【００２６】
駆動装置６は、例えばステッピングモータからなり、表示器１及び導光体４の背後に配置され、指針軸６１が表示器１側に突出している。この場合、駆動装置６は、その本体部が回路基板５の背面側に位置し、指針軸６１は、回路基板５を貫通して表示器１側に突出する構成である。また指針軸６１は、この場合、その回転により回転中心軸（回転中心となる仮想軸）ＲＣを形成するよう前方側に延びている。
【００２７】
指針７は、例えば透光性合成樹脂からなり、表示器１の背面側から側面側を通り表示器１よりも前方側（前記観察者側）を回転中心ＲＣ方向に折れ曲がる迂回部７１と、第２の表示板２２の前方側を反回転中心ＲＣ方向（回転中心ＲＣとは反対方向）に延び第１，第２の指標部２１１，２２１を指示する指示部７２と、これら迂回部７１と指示部７２とを繋ぐ接続部７３とを備えている。
【００２８】
迂回部７１は、表示器１の背面側を表示器１に沿って回転中心軸ＲＣを横切るように回転平面に沿って外側に延び、指針軸６１に連結される第１の指針部７１１と、この第１の指針部７１１の端部から所定角度（この場合略９０度）折れ曲がり、表示器１の側面側を前方に向けて（回転中心軸ＲＣと平行に）延びる第２の指針部７１２と、この第２の指針部７１２の端部から所定角度（この場合略９０度）折れ曲がり、表示器１及び第１の表示板２１の前面側と第２の表示板２２の背面側との間にて規定される空間部２３内を回転中心軸ＲＣに向けて延びる第３の指針部７１３とから略「コ」字状に形成され、これら第１〜第３の指針部７１１〜７１３の角部（折れ曲がり部）には、内部に導入した光源９からの光を先端（指示部７２）方向へ反射する反射面が形成されている。
【００２９】
指示部７２は、迂回部７１とは別の透光性合成樹脂からなり、接続部７３を介して迂回部７１に連結され、第２の表示板２２の前面に沿って反回転中心軸ＲＣ方向に直線状に延び、駆動装置６の作動に伴って指針軸６１が回転すると、第２の表示板２２上を旋回し、第１，第２の指標部２１１，２２１を指示する。
【００３０】
指示部７２の先端部とは反対側となる後端部（回転中心軸ＲＣ側）は、接続部７３を越えて回転中心軸ＲＣ側に延びていると共に、指示部７２は少なくともその接続部７３に対応する部分の幅が接続部７３の幅よりも大きく形成され、これにより前記観察者が正面視した際、接続部７３が指示部７２によって隠れて見えづらくなるため、指示部７２が浮遊するように視認される。
【００３１】
接続部７３は、回転中心軸ＲＣに沿って伸び迂回部７１と指示部７２とを接続している。
【００３２】
このように構成される指針７は、光源９の光を迂回部７１を通じて指示部７２に導くことで、指示部７２が発光するようになっている
【００３３】
ここで、迂回部７１と、指示部７２との位置関係に注目すると、迂回部７１の回転中心軸ＲＣから最も遠い箇所Ｐ１は、所定距離Ｄぶん、指示部７１の先端Ｐ２よりも回転中心軸ＲＣに近い位置に設けられている。
【００３４】
光源８，９は、表示板２１，２２と指針７のそれぞれを照明する例えば発光ダイオードからなり、回路基板５に搭載されている。
【００３５】
以上のように、本実施形態では、表示器１と、指標部２１１，２２１を有し表示器１の周囲を取り巻くと共に表示器１を視認可能に配置される表示板２１，２２と、表示器１の背後に配置され指針軸６１が表示器１側に突出する駆動装置６と、指針軸６１に連結され指針軸６１を回転中心軸ＲＣとして旋回することにより指標部２１１，２２１を指示する指針７とを備え、指針７が表示器１の背面側から側面側を通って表示器１よりも前方側を回転中心軸ＲＣ方向に向かって折れ曲がる迂回部７１と、表示板２１，２２の前方側を反回転中心軸ＲＣ方向に延び指標部２１１，２２１を指示する指示部７２とを備えてなる指針式計器において、迂回部７１の回転中心軸ＲＣから最も遠い箇所Ｐ１を指示部７２の先端Ｐ２よりも回転中心軸ＲＣに近づけてなることにより、迂回部７１の側方への張り出しを抑えることができるため、小型化と慣性モーメントの軽減を達成でき、指針７が蛇行する形状であっても指針７の動作特性に対する影響を最小限に抑えることができる。
【００３６】
また本実施形態では、表示板２１，２２が表示器１側に配置される第１の表示板２１と、この第１の表示板２１よりも前記観察者側に配置される２の表示板２２とを有し、迂回部７１の表示器１よりも前方側を回転中心軸ＲＣ方向に延びる箇所である第３の指針部７１３が第１の表示板２１と第２の表示板２２との間に形成された空間部２３を回転中心軸ＲＣに向けて延長し、指示部７２に連なることにより、迂回部７１から指示部７２へと連なる経路を短縮して小型化を図ることができ、更なる小型化と慣性モーメントの軽減を達成できる。すなわち、図示しないが、第３の指針部７１３が第１の表示板２１と表示器１との間を回転中心軸ＲＣ側に延び、第１の窓部２１３を通して接続部７３及び指示部７２と接続する経路よりも第３の指針部７１３が空間部２３を回転中心軸ＲＣ側に延び、第２の窓部２２３を通して接続部７３及び指示部７２と接続する経路の方が、迂回部７１から指示部７２へと連なる経路を短縮することができる。
【００３７】
また本実施形態では、第１の窓部２１３に沿って表示器１の表示エリアを取り巻く縁部材３を設けたことにより、表示器１の表示エリアを表示板２１，２２から区画することができ、目的とする情報に視線移動を短時間で行うことができ、視認性を向上させることができる。
【００３８】
なお本実施形態では、第２の表示板２２を円錐形状としたが、第１の表示板２１と同じ平板に形成し、第１の表示板２１と平行に配置してもよい。
【００３９】
また本実施形態では、第１，第２の表示板２１，２２の双方に第１，第２の指標部２１１，２２１をそれぞれ設けたが、何れか一方の表示板２１，２２にのみに全ての指標部２１１，２２１を形成し、他方の表示板２１，２２は背景部２１２，２２２のみを有した背景板として使用することもできる。
【００４０】
さらに指標部２１１，２２１は文字や目盛の他、各種マーク、図形であってもよい。
【００４１】
次に図３に基づいて本発明の第２の実施形態を説明する。なお図３ではハッチングは省略されている。
【００４２】
本実施形態による指針式計器は、表示板２が表示器１側に配置され第１の深部から前記観察者側に向けてラッパ形に徐々に拡径する第１の円錐部２１４からなる第１の表示板２１と、この第１の円錐部２１４の前方に配置され第１の円錐部２１４側となる第２の深部から前記観察者側に向けてラッパ形に徐々に拡径する第２の円錐部２２４を有する第２の表示板２２とを有している。
【００４３】
指針７の迂回部７１は、第３の指針部７１３が第１の円錐部２１４と第２の円錐部２２４との間に形成される空間部２３を回転中心軸ＲＣに向けて延長し、接続部７３を通じて指示部７２に連なる構成としている。
【００４４】
このように構成することにより、前記第１の実施形態と同様、小型化と慣性モーメントの軽減を達成でき、迂回部７１から指示部７２へと連なる経路を短縮して小型化を図ることができ、更なる小型化と慣性モーメントの軽減を達成できる。
【００４５】
また本実施形態では、指示部７２に図示しない光源を搭載しており、この光源に可撓性回路基板ＦＰＣを通じて給電するようになっている。さらに本実施形態では、縁部材３の断面形状を円弧形状に変更している。
【００４６】
次に図４に基づいて本発明の第３の実施形態を説明する。なお図４ではハッチングは省略されている。
【００４７】
本実施形態による指針式計器は、表示板２が深部から前記観察者側に向けて徐々に拡径する円錐部２４を有し、指針７の迂回部７１は、表示板２を隔てて表示器１の背面側及び側面側を迂回しており、第３の指針部７１３は、円錐部２４の中程に形成されたスリット２４１を回転中心軸ＲＣ側に貫通し、指示部７２に連なる構成である。
【００４８】
このように構成することにより、前記第１の実施形態と同様、小型化と慣性モーメントの軽減を達成でき、迂回部７１から指示部７２へと連なる経路を短縮して小型化を図ることができ、更なる小型化と慣性モーメントの軽減を達成できる。なお本実施形態では迂回部７１の一部を構成する第２の指針部７１２が折れ曲がっているが、迂回部７１の形状は、表示器１の背面側を通って回転中心軸ＲＣ方向に向かう形状であれば任意に設定できる。
【００４９】
次に図５に基づいて本発明の第４の実施形態を説明する。なお図５ではハッチングは省略されている。
【００５０】
本実施形態による指針式計器は、第１，第２の表示板２１，２２の双方が円錐部２１４，２２４を有する点他で前記第２の実施形態と同様であるが、表示器１及び第１の表示板２１の照明構成、指針７の細部構成、及び第２の表示板２２及びその照明構成が前述実施形態とは相違している。
【００５１】
すなわち、表示器１は、表示素子として液晶パネル１１と、液晶パネル１１の背面に沿って複数配置される導光板１２，１３と、液晶パネル１１及び第１の表示板２１を支持する支持体１４と、導光板１２，１３を通じて液晶パネル１１を照明する例えば発光色の異なる発光ダイオードからなる光源１５，１６と、これら光源１５，１６を搭載する光源基板１７とを備えており、液晶パネル１１は複数の導光体１２，１３及び複数の光源１５，１６を通じてそのエリア毎にカラーチェンジ可能に構成されている。
【００５２】
支持体１４は、液晶パネル１１を保持する第１の保持部１４１と、第１の表示板２１を保持する第２の保持部１４２とを備えると共に第１の表示板２１に対応する箇所には、光源８，９の光を第１の表示板２１側に透過させて第１の指標部２１１を透過照明するための開口部１４３が形成されている。この開口部１４３は、第１の指標部２１１の配列形状に沿って複数個形成され、第１の指標部２１１の配列形状に沿って隣接する各開口部１４３間には、回転中心軸ＲＣを基準として放射状に延びる筋部が形成されている。このように単一の支持体１４にて液晶パネル１１と第１の表示板２１の双方を支持することにより両者の位置関係を正確に定めることができる他、別々の支持体を設ける必要がないため、コストダウンが可能となる。また開口部１４を通じて第１の表示板２１を照明できるので、専用の光源や導光体を不要にでき、コストダウンが可能である。
【００５３】
透光性合成樹脂からなる指針７は、第２の指針部７１２、第３の指針部７１３及び接続部７３の全周または所要部が例えば黒色の遮光性合成樹脂からなる筒状部材７４によって覆われており、指針７から周囲へ漏れる光をブロックし、照明品質を維持する構成である。なお筒状部材７４に替えて遮光膜を設けてもよい。
【００５４】
また本実施形態では迂回部７１のうち、第３の迂回部７１３が２つに分割され、また第３の迂回部７１３と接続部７３も分割されて別部品となっており、筒状部材７４を通じて連結されている。また指示部７２の前面または背面には、例えばホットスタンプ層からなる着色層７４が形成され、光源８，９の点灯時には着色層７４の色にて指示部７２が視認されるようになっている。
【００５５】
なお本実施形態では、第２の表示板２２の第２の指標部２２１の照明色は白色、光源８，９の発光色も共に白色でなり、この白色光源８，９からの光を着色層７４で着色することで指示部７２が第２の指標部２２１とは異なる色で視認される。このように指示部７２に着色層７４を施し、指針用光源９と表示板用光源８の発光色を白色としたことにより、指示部７２の発光色と第２の指標部２２１の発光色が異なる場合でも、光源８，９の各発光色が混じり合わないように表示器１の背後と回路基板５との間に形成される照明空間を遮光壁等により区画する必要がないため、コストダウンが可能である。
【００５６】
第２の表示板２２の背後には導光部材２２５が配置され、この導光部材２２５と光源８との間には他の導光部材２２６が配置され、この他の導光部材２２６を通じて導光部材２２５内に導いた光によって第２の表示板２２に設けた第２の指標部２２１を発光させる構成である。
【符号の説明】
【００５７】
１  表示器
２  表示板
３  縁部材
４  導光体
５  回路基板
６  駆動装置
７  指針
８，９，１５，１６  光源
１１  液晶パネル
１２，１３  導光板
１４  支持体
１７  光源基板
２１  第１の表示板
２２  第２の表示板
２３  空間部
２４  円錐部
６１  指針軸
７１  迂回部
７２  指示部
７３  接続部
７４  着色層
７５  筒状部材
１４１  第１の保持部
１４２  第２の保持部
１４３  開口部
２１１  第１の指標部
２１２  第１の背景部
２１３  第１の窓部
２１４  第１の円錐部
２２０  円錐部
２２１  第２の指標部
２２２  第２の背景部
２２３  第２の窓部
２２４  第２の円錐部
２２５  導光部材
２２６  他の導光部材
２４１  スリット
７１１  第１の指針部
７１２  第２の指針部
７１３  第３の指針部
Ｄ  所定距離
ＦＰＣ  可撓性回路基板
Ｐ１  箇所
Ｐ２  先端
ＲＣ  回転中心軸（回転中心となる仮想軸）
【図１】
2010197304.tif 000003
【図２】
2010197304.tif 000004
【図３】
2010197304.tif 000005
【図４】
2010197304.tif 000006
【図５】
2010197304.tif 000007